(57)【要約】【課題】画像形成物の区切りを容易に見つけることが可能なバナーを形成する画像形成システム、プリントサーバ、画像形成方法、及び画像形成プログラムを提供する。【解決手段】画像形成物の用紙サイズよりも大きなサイズの用紙を用いて、ユーザＩＤなどのインデックス情報が記載されたバナーを出力すると共に、当該バナーをフィニッシャの紙折り機能を用いて所定の折り方で折り、ユーザが紙折りを開くことによって、画像形成物を包み込むことが可能となる挟み込みバナーを、紙折りの開く向きに応じて、画像形成物の前、あるいは後ろに出力する。  【選択図】  図４
2005231839.tif 000002
【特許請求の範囲】
【請求項１】
印刷ジョブに基づいて画像形成データを作成するデータ作成手段と、該画像形成データに基づいて画像形成物を出力する画像形成手段とが接続された画像形成システムにおいて、
前記画像形成手段は、紙折り手段をさらに具備し、
前記作成手段は、バナーを出力するためのバナーデータを作成し、
前記画像形成手段は、前記バナーデータに基づいて前記紙折り手段で紙折りされた挟み込みバナーを出力する
ことを特徴とする画像形成システム。
【請求項２】
前記データ作成手段は、前記画像形成物の出力枚数が一定値を超える毎に前記バナーデータを作成する
ことを特徴とする請求項１記載の画像形成システム。
【請求項３】
前記バナーデータは、前記挟み込みバナーに出力する情報を有し、
前記画像形成手段は、前記情報が画像形成された前記挟み込みバナーを出力する
ことを特徴とする請求項１又は２記載の画像形成システム。
【請求項４】
前記バナーデータは、前記画像形成物の出力枚数が一定値を超える毎に出力された何枚目の挟み込みバナーであるかを示す情報を有し、
前記画像形成手段は、前記情報が画像形成された前記挟み込みバナーを出力する
ことを特徴とする請求項２記載の画像形成システム。
【請求項５】
前記挟み込みバナーは、紙折りの開く向きに応じて前記画像形成物の前又は後ろに出力される
ことを特徴とする請求項１乃至４記載の画像形成システム。
【請求項６】
前記挟み込みバナーは、紙折りを閉じた状態で前記画像形成物の用紙サイズと同じ、若しくは該用紙サイズよりも大きい
ことを特徴とする請求項１乃至５記載の画像形成システム。
【請求項７】
印刷ジョブに基づいて画像形成データを作成し、紙折り手段を具備する画像形成手段に該画像形成データを送信するプリントサーバにおいて、
前記紙折り手段で紙折りされた挟み込みバナーを出力するためのバナーデータを作成し、該バナーデータを前記画像形成手段に送信する
ことを特徴とするプリントサーバ。
【請求項８】
前記画像形成物の出力枚数を管理し、
前記出力枚数が一定値を超える毎に前記バナーデータを前記画像形成手段に送信する
ことを特徴とする請求項７記載のプリントサーバ。
【請求項９】
前記出力枚数が一定値を超える毎に出力される挟み込みバナーの数を管理し、
前記バナーデータに、当該バナーデータに基づいて出力される挟み込みバナーが、前記出力枚数が一定値を超える毎に出力される挟み込みバナーの何枚目であるかを示す情報を付加して前記画像形成手段に送信する
ことを特徴とする請求項８記載のプリントサーバ。
【請求項１０】
前記挟み込みバナーの紙折りが開く向きに応じて、前記画像形成データの前又は後に前記バナーデータを前記画像形成手段に送信する
ことを特徴とする請求項７乃至９記載のプリントサーバ。
【請求項１１】
前記画像形成物の用紙サイズに基づいて、前記挟み込みバナーを形成する用紙サイズを選択し、前記バナーデータを作成する
ことを特徴とする請求項７乃至１０記載のプリントサーバ。
【請求項１２】
印刷ジョブに基づいて画像形成データをデータ作成手段で作成し、該画像形成データに基づいて画像形成手段で画像形成物を出力する画像形成方法において、
バナーを出力するためのバナーデータを前記データ作成手段で作成し、
紙折り手段を具備する前記画像形成手段に前記バナーデータを送信し、
前記紙折り手段で紙折りされた挟み込みバナーを前記画像形成手段から出力する
ことを特徴とする画像形成方法。
【請求項１３】
印刷ジョブに基づいて画像形成データを作成し、紙折り手段を具備する画像形成手段に該画像形成データを送信するための処理を行う画像形成プログラムにおいて、
前記紙折り手段で紙折りされた挟み込みバナーを出力するためのバナーデータを作成し、該バナーデータを前記画像形成手段に送信する
処理をコンピュータに実行させることを特徴とする画像形成プログラム。
【発明の詳細な説明】
【技術分野】
【０００１】
本発明は、画像形成システム、プリントサーバ、画像形成方法、及び画像形成プログラムに関し、特に、画像を形成する印刷ジョブの区切りにバナーを挿入する画像形成システム、プリントサーバ、画像形成方法、及び画像形成プログラムに関する。
【背景技術】
【０００２】
プリンタなどの画像形成装置は、ＬＡＮ(Local Area Network)などのネットワークを介して複数のユーザに利用される場合があり、各ユーザからの印刷ジョブに応じて出力された画像形成物は、同じ出力トレイに出力される。
【０００３】
このため、異なるユーザからの印刷ジョブに応じて出力された画像形成物が出力トレイ上で混在し、画像形成物の区切りが分かり難くなることがあり、また、同じユーザであっても、複数の印刷ジョブを実行すると各印刷ジョブに応じて出力された画像形成物の区切りが分かり難くなっていた。
【０００４】
画像形成物の区切りを分かり易くする方法としては、出力トレイに仕切り板を設け、この仕切り板を印刷ジョブごとに画像形成物の間に挟み込む方法が提案されている（例えば、特許文献１参照）。
【特許文献１】特開平４−３３３４６４号公報
【発明の開示】
【発明が解決しようとする課題】
【０００５】
しかし、仕切り板を挟む方法では、区切りをつけたまま画像形成物をまとめて移動させることができず、バナーを新たに出力して画像形成物の間に差し込まなければならなかった。
【０００６】
また、印刷ジョブの区切りにバナーを出力することもあったが、画像形成物と同サイズのバナーを出力するため、画像形成物をまとめて移動させることはできるものの、画像形成物の区切りを容易に見つけることはできなかった。
【０００７】
そこで本発明では、画像形成物の区切りを容易に見つけることが可能なバナーを形成する画像形成システム、プリントサーバ、画像形成方法、及び画像形成プログラムを提供することを目的とする。
【課題を解決するための手段】
【０００８】
本発明に係る画像形成システムは、印刷ジョブに基づいて画像形成データを作成するデータ作成手段と、該画像形成データに基づいて画像形成物を出力する画像形成手段とが接続された画像形成システムにおいて、前記画像形成手段は、紙折り手段をさらに具備し、前記作成手段は、バナーを出力するためのバナーデータを作成し、前記画像形成手段は、前記バナーデータに基づいて前記紙折り手段で紙折りされた挟み込みバナーを出力する。
【０００９】
また、前記データ作成手段は、前記画像形成物の出力枚数が一定値を超える毎に前記バナーデータを作成する。
【００１０】
そして、前記バナーデータは、前記挟み込みバナーに出力する情報を有し、前記画像形成手段は、前記情報が画像形成された前記挟み込みバナーを出力する。
【００１１】
ここで、前記バナーデータは、前記画像形成物の出力枚数が一定値を超える毎に出力された何枚目の挟み込みバナーであるかを示す情報を有し、前記画像形成手段は、前記情報が画像形成された前記挟み込みバナーを出力する。
【００１２】
また、前記挟み込みバナーは、紙折りの開く向きに応じて前記画像形成物の前又は後ろに出力される。
【００１３】
また、前記挟み込みバナーは、紙折りを閉じた状態で前記画像形成物の用紙サイズと同じ、若しくは該用紙サイズよりも大きい。
【００１４】
次に、本発明に係るプリントサーバは、印刷ジョブに基づいて画像形成データを作成し、紙折り手段を具備する画像形成手段に該画像形成データを送信するプリントサーバにおいて、前記紙折り手段で紙折りされた挟み込みバナーを出力するためのバナーデータを作成し、該バナーデータを前記画像形成手段に送信する。
【００１５】
また、前記画像形成物の出力枚数を管理し、前記出力枚数が一定値を超える毎に前記バナーデータを前記画像形成手段に送信する。
【００１６】
そして、前記出力枚数が一定値を超える毎に出力される挟み込みバナーの数を管理し、前記バナーデータに、当該バナーデータに基づいて出力される挟み込みバナーが、前記出力枚数が一定値を超える毎に出力される挟み込みバナーの何枚目であるかを示す情報を付加して前記画像形成手段に送信する。
【００１７】
ここで、前記挟み込みバナーの紙折りが開く向きに応じて、前記画像形成データの前又は後に前記バナーデータを前記画像形成手段に送信する。
【００１８】
また、前記画像形成物の用紙サイズに基づいて、前記挟み込みバナーを形成する用紙サイズを選択し、前記バナーデータを作成する。
【００１９】
本発明に係る画像形成方法は、印刷ジョブに基づいて画像形成データをデータ作成手段で作成し、該画像形成データに基づいて画像形成手段で画像形成物を出力する画像形成方法において、バナーを出力するためのバナーデータを前記データ作成手段で作成し、紙折り手段を具備する前記画像形成手段に前記バナーデータを送信し、前記紙折り手段で紙折りされた挟み込みバナーを前記画像形成手段から出力する。
【００２０】
本発明に係る画像形成プログラムは、印刷ジョブに基づいて画像形成データを作成し、紙折り手段を具備する画像形成手段に該画像形成データを送信するための処理を行う画像形成プログラムにおいて、前記紙折り手段で紙折りされた挟み込みバナーを出力するためのバナーデータを作成し、該バナーデータを前記画像形成手段に送信する。
【発明の効果】
【００２１】
本発明では、画像形成物の区切りを容易に見つけることが可能となる。
【発明を実施するための最良の形態】
【００２２】
以下、本発明に係る画像形成システム、プリントサーバ、画像形成方法、及び画像形成プログラムを実施するための最良の形態について、添付図面を参照して詳細に説明する。
【実施例１】
【００２３】
図１は、本発明に係る画像形成システムの構成の一例を示す概念図である。同図に示すように、本発明に係る画像形成システムには、プリントサーバ１０と、プリンタなどの画像形成装置２０と、ユーザが使用するＰＣなどのクライアント端末３０（３０−１、３０−２、…３０−ｎ）とが設けられており、プリントサーバ１０と画像形成装置２０とが通信ケーブル４０などを介して接続すると共に、プリントサーバ１０とクライアント端末３０とがＬＡＮ５０を介して接続している。
【００２４】
なお、プリントサーバ１０を設けることなく、プリントサーバ機能を具備する画像形成装置２０を用いてもよい。
【００２５】
図２は、図１で示した画像形成システムの構成の一部を詳細に示した機能ブロック図である。同図に示すように、プリントサーバ１０は、印刷ジョブ解析部１１と、画像形成データ作成部１２と、バナーデータ作成部１３と、画像形成指示部１４と、バナー差し込み判断部１５とで構成されている。
【００２６】
印刷ジョブ解析部１１は、クライアント端末３０から受信した印刷ジョブを解析し、画像形成物、及び挟み込みバナーの出力に必要な情報を取得する。
【００２７】
印刷ジョブには、画像形成（印刷）が指示された文章などの情報や画像形成物の用紙サイズ、画像形成物の紙折り指示など、画像形成物に関する情報に加えて、挟み込みバナーの出力の指示や挟み込みバナーに出力する情報など、挟み込みバナーの出力に関してクライアント端末で指示された情報が含まれている。
【００２８】
画像形成データ作成部１２は、画像形成が指示された文章などの情報を画像形成装置２０で出力するための画像形成データを作成する。
【００２９】
バナーデータ作成部１３は、挟み込みバナーを画像形成装置２０で出力するためのバナーデータを作成する。
【００３０】
ここで、挟み込みバナーとは、画像形成装置２０のフィニッシャが有している紙折り機能などを用いて紙折りしたバナーであって、図３に一例を示すように、右側をＺ型に折った右閉じＺ折り、左側をＺ型に折った左閉じＺ折り、表面を内側にして三つ折りした内三つ折り、表面を外側にして三つ折りした外三つ折りなどがあり、挟み込みバナーの開く向きに応じて画像形成物の前若しくは後に出力される（図４参照）。
【００３１】
すなわち、挟み込みバナーが上開きの場合は、画像形成物の前（下）に出力され（図３及び図４(ａ)、(ｃ)参照）、下開きの場合は、画像形成物の後（上）に出力される（図３及び図４(ｂ)参照）
【００３２】
そして、ユーザなどが挟み込みバナーを開くことによって、画像形成物を挟み込むことが可能となっており（図５参照）、画像形成物を挟み込んだ状態で容易に確認できる位置に、画像形成物などに関する情報を示すインデックス情報が出力されている（図６参照）。なお、図３に記載している矢印は、これらの挟み込みバナーが開く向きを示している。  バナーデータとしては、挟み込みバナーの用紙サイズ、折り方、インデックス情報などがある。
【００３３】
挟み込みバナーの用紙サイズは、画像形成物の用紙サイズよりも１段階大きいサイズ（画像形成物の用紙サイズがＡ４ならＡ３、Ｂ５ならＢ４）とする。なお、この用紙サイズは、画像形成物よりも大きいサイズであればよく、好ましくは、紙を折った状態の挟み込みバナーのサイズが画像形成物のサイズと同じ、若しく画像形成物よりも大きくなる用紙サイズとする。また、クライアント端末で用紙サイズを指定するなど、他の方法を用いて用紙サイズを選択してもよい。
【００３４】
挟み込みバナーの折り方は、画像形成物を紙折りするか否かに応じて選択され、例えば、画像形成物が紙折りされない場合は、Ｚ折りの挟み込みバナーを選択し（図４(ａ)参照）、画像形成物を紙折りされる場合は、三つ折りを選択する（図４(ｂ)及び(ｃ)参照）。ここで、三つ折りが選択された場合、開く方向（上開き、下開き）は、プリントサーバに予め定められている。なお、折り方の選択は、画像形成物の紙折りに関わらず、予め定められた折り方を選択してもよく、また、クライアント端末で折り方を指定するなど、他の方法を用いてもよい。
【００３５】
挟み込みバナーに出力するインデックス情報は、例えば、画像形成物の出力を要求したユーザのＩＤやファイル名、画像形成物の提供先、表題など、クライアント端末で入力された任意の情報を用いることが可能である。なお、クライアント端末を特定する情報やファイル名など、予め定められた情報を出力情報としてもよい。
【００３６】
画像形成指示部１４は、画像形成データやバナーデータなど、画像形成物や挟み込みバナーの出力に必要な情報を画像形成装置２０に送信して画像形成を指示する。
【００３７】
バナー差し込み判断部１５は、画像形成物の量が多い場合など、一の挟み込みバナーで画像形成物を全て挟むことができない場合に、画像形成物のページ間に挟み込みバナーを出力し、複数の挟み込みバナーを用いて画像形成物の挟み込みを可能とする差し込みを行うか否かの判断を行う。
【００３８】
ここで、差し込みを行うか否かの判断は、まず、一の挟み込みバナーに挟み込む画像形成物の量を示す閾値を定め、画像形成物の出力枚数と画像形成物の折り方とから算出される予測値と比較し、予測値が閾値を越えると差し込みを行うと判断する。
【００３９】
閾値は、紙折りバナーの折り方毎に設定することが可能であり、例えば、Ｚ折りで１０、３つ折りで５とする設定する。また、差し込みを行わない場合は、差し込みを行わないことを示す値、例えば、−１と設定する。
【００４０】
予測値は、画像形成物が紙折りされて用紙サイズよりも１サイズ小さくなる場合は、出力枚数×２、２サイズ小さくなる場合は、出力枚数×４、（（ページ数）×（２のｎ乗）（ｎ：用紙系列毎のサイズ減少回数））となる。したがって、例えば、用紙サイズがＡ２で紙折り後の用紙サイズがＡ４の場合は、予測値が２、用紙サイズがＡ０で紙折り後の用紙サイズがＡ４の場合は、予測値が４となる。
【００４１】
また、当該印刷ジョブにおいて差し込んだ挟み込みバナーの数を管理すると共に、差し込みを行うと判断すると、何枚目の挟み込みバナー出るかを示す副通し番号に関する情報をバナーデータ作成部に送信する。
【００４２】
上記構成において、本発明に係るプリントサーバでは、クライアント端末から印刷ジョブを受信すると、印刷ジョブに基づいて画像形成データ及びバナーデータを作成し、画像形成装置に送信する。また、挟み込みバナーを差し込むと判断すると、副通し番号に関する情報をインデックス情報に加えたバナーデータを作成し、画像形成装置に送信する。
【００４３】
画像形成装置２０は、画像形成部２１とフィニッシャ２２とで構成されている。
【００４４】
画像形成部２１は、プリントサーバ１０から受信した画像形成データやバナーデータに基づいて、画像形成物や挟み込みバナーを出力する。
【００４５】
フィニッシャ２２は、紙折り機能を具備しており、画像形成物や挟み込みバナーを紙折りする。
【００４６】
上記構成において、本発明に係る画像形成装置では、プリントサーバ１０から画像形成データを受信すると、画像形成物を出力し、当該画像形成データで紙折りが指示されていると、画像形成物を紙折りする。また、バナーデータを受信すると、バナーを出力し、当該バナーデータで指定された折り方でバナーを紙折りして、挟み込みバナーを形成する。
【００４７】
なお、図２におけるプリントサーバの部分（印刷ジョブ解析部１１、画像形成データ作成部１２、バナーデータ作成部１３、バナー差し込み判断部１４、画像形成指示部１５）が本発明に係る特有の構成であり、ソフトウェア等により実現される。また、画像形成装置の部分（画像形成部２１、フィニッシャ２２）は、汎用の構成である。
【００４８】
次に、図７を用いて、画像形成システムにおける印刷ジョブの処理の流れを説明する。まず、プリントサーバが印刷ジョブを受信する（ステップ１００）と、バナーの使用が指示されているか否かの判断を行い（ステップ１０１）、バナーの使用が指示されていないと判断する（ステップ１０１でＮＯ)と、画像形成データを画像形成装置に送信して画像形成物を出力し（ステップ１０２)、バナーの使用が指示されていると判断する（ステップ１０１でＹＥＳ)と、挟み込みバナーの使用が指示されているか否かの判断を行う（ステップ１０３)。
【００４９】
そして、挟み込みバナーの使用が指示されていないと判断する（ステップ１０３でＮＯ）と、画像形成データ、及び当該画像形成物と同サイズの紙折りを行っていない通常のバナーを出力するためのバナーデータを画像形成装置に送信して画像形成物、及び通常のバナーを出力し（ステップ１０４)、挟み込みバナーの使用が指示されていると判断する（ステップ１０３でＹＥＳ)と、印刷ジョブに基づいて画像形成物の用紙サイズを決定する（ステップ１０５)。
【００５０】
ここで、画像形成物の用紙サイズよりも一段階大きなサイズを挟み込みバナーの用紙サイズとして決定し（ステップ１０６）、挟み込みバナーが上開きでない場合（ステップ１０７でＮＯ)は、画像形成物の１ページ分の画像形成データを画像形成装置に送信して出力し（ステップ１０８）、挟み込みバナーが上開きである場合（ステップ１０７でＹＥＳ)は、挟み込みバナーのバナーデータを画像形成装置に送信して挟み込みバナーを出力し（ステップ１０９）、その後、画像形成物の１ページ分の画像形成データを画像形成装置に送信して出力する（ステップ１０８）。
【００５１】
続いて、印刷ジョブが終了したか否かの判断を行い（ステップ１１０）、終了していないと判断する（ステップ１１０でＮＯ)と、画像形成物の厚さを示す予測値を算出し（ステップ１１１）、一の挟み込みバナーに挟み込む画像形成物の厚さを示す閾値を予測値が超えたか否かの判断を行う（ステップ１１２）。
【００５２】
そして、予測値が閾値を越えていないと判断する（ステップ１１２でＮＯ）と、次ページ分の画像形成データを画像形成装置に送信して出力し（ステップ１０８）、予測値が閾値を越えたと判断する（ステップ１１２でＹＥＳ）と、挟み込みバナーに出力する情報であるインデックス情報に、当該挟み込みバナーが処理中の印刷ジョブに差し込まれる何枚目の挟み込みバナーであるかを示す副通し番号に関する情報を加えたバナーデータを作成し（ステップ１１３）、画像形成装置に送信して挟み込みバナーを出力し（ステップ１１４）、その後、次ページ分の画像形成データを画像形成装置に送信して出力する（ステップ１０８）。
【００５３】
一方、印刷ジョブが終了したか否かの判断（ステップ１１０）において、終了したと判断する（ステップ１１０でＹＥＳ)と、挟み込みバナーが下開きであるか否かの判断を行い（ステップ１１５）、下開きでない場合（ステップ１１５でＮＯ)は、印刷ジョブの処理を終了し、挟み込みバナーが下開きである場合（ステップ１１５でＹＥＳ)は、挟み込みバナーのバナーデータを画像形成装置に送信して挟み込みバナーを出力し（ステップ１１６）、その後、印刷ジョブの処理を終了する。
【００５４】
なお、本実施例では、印刷ジョブ毎に挟み込みバナーを出力しているが、例えば、ドキュメント毎、部数毎、コレーション毎に出力してもよく、この際、副通し番号は、挟み込みバナーが出力されることにより１に初期化される。
【００５５】
また、本実施例では、画像形成物の用紙サイズよりも一段階大きなサイズを挟み込みバナーの用紙サイズとしているが、好ましくは、挟み込みバナーが紙折りを閉じた状態で、画像形成物の用紙サイズと同じ、若しくはそれ以上となるサイズを挟み込みバナーの用紙サイズとする。
【００５６】
このように本発明では、紙折りを行ったバナーを出力するため、画像形成物を挟み込むことが可能となり、画像形成物をまとめた搬送した場合であっても、区切りを容易に見つけることができる。
【００５７】
また、バナーの表面に、表題、宛先、出力者ＩＤなどのインデックス情報を出力するため、画像形成物に関する情報を容易に把握することが可能となる。このため、画像形成物を挟み込みバナーで挟んだ状態で文書毎に保存したり、宛先に渡したりすることもできる。
【００５８】
加えて、一の挟み込みバナーで画像形成物を挟み込めない場合は、副通し番号が出力された挟み込みバナーを差し込んで、複数の挟み込みバナーで挟み込むため、画像形成物の出力枚数が多量であっても、ページが混乱したりすることなく、画像形成物の区切りを明確にすることができる。
【００５９】
さらに、挟み込みバナーは、フィニッシャが有する紙折り機能を用いて作成するため、挟み込みバナーを出力するための新たな機構を設けることなく実施することができる。
【図面の簡単な説明】
【００６０】
【図１】本発明に係る画像形成システムの構成の一例を示す概念図
【図２】本発明に係る画像形成システムの構成の一部を詳細に示した機能ブロック図
【図３】挟み込みバナーの一例を示す図
【図４】Ｚ折り（上開き）挟み込みバナー及び画像形成物を出力した状態を示す図
【図５】挟み込みバナーで画像形成物を挟み込んだ状態を示す図
【図６】インデックス情報が出力された挟み込みバナーの一例を示す図
【図７】本実施例における印刷ジョブの処理の流れを示すフローチャート
【符号の説明】
【００６１】
１０…プリントサーバ
１１…印刷ジョブ解析部
１２…画像形成データ作成部
１３…バナーデータ作成部
１４…画像形成指示部
１５…バナー差し込み判断部
２０…画像形成装置
２１…画像形成部
２２…フィニッシャ
３０…クライアント端末
４０…通信ケーブル
５０…ＬＡＮ
【図１】
2005231839.tif 000003
【図２】
2005231839.tif 000004
【図３】
2005231839.tif 000005
【図４】
2005231839.tif 000006
【図５】
2005231839.tif 000007
【図６】
2005231839.tif 000008
【図７】
2005231839.tif 000009